(57)【要約】【課題】複雑化することなく、コストをかけず、熱源の熱でプラスチック製のレンズに局部的な歪みが生ずるのを防止し、良好な画像形成を維持することができる光書込装置、及び、画像形成装置を提供する。【解決手段】光源ユニット５２，５３，５４，５５からの光ビームを光偏向器６２により偏向走査し、該光偏向器６２からの光を少なくとも一つ以上のプラスチック製のレンズ６３，６４を通じて像担持体の被走査面上に導き結像する光書込装置において、光偏向器固定用のハウジングボス（固定用ボス部）Ｈｂ２からプラスチック製のレンズ６３，６４の配置部分の裏面へ１又は複数のリブ５０２，５０２’等を配設する。【選択図】      図５
2006053224.tif 000002
【特許請求の範囲】
【請求項１】
光源ユニットからの光ビームを光偏向器により偏向走査し、該光偏向器からの光を少なくとも一つ以上のプラスチック製のレンズを通じて像担持体の被走査面上に導き結像する光書込装置において、
前記光偏向器固定用のハウジングボスから前記プラスチック製のレンズの配置部分の裏面へ１又は複数のリブを配設したことを特徴とする光書込装置。
【請求項２】
前記リブはハウジング材質よりも熱伝導率が高い材質としたことを特徴とする請求項１に記載の光書込装置。
【請求項３】
前記光偏向器固定用のハウジングボスが複数の場合、該ハウジングボス同士を連結用リブでつないだことを特徴とする請求項１または２に記載の光書込装置。
【請求項４】
前記ハウジングボス、あるいは前記１又は複数のリブ、もしくは前記連結用リブと、前記光偏向器の軸受部とをバイパス用リブでつないだことを特徴とする請求項１乃至３の何れか一つに記載の光書込装置。
【請求項５】
請求項１乃至４の少なくとも何れか一つに記載の光書込装置を用いたことを特徴とする画像形成装置。
【発明の詳細な説明】
【技術分野】
【０００１】
本発明は、像担持体の被走査面上に光ビームを照射して潜像を書き込む光書込装置に関し、かつ、該光書込装置を備え、像担持体に形成された潜像を現像剤で現像した後、順次転写材に転写して定着手段により定着する複写機、プリンタ、ファクシミリ、プロッタ等の画像形成装置に関する。
【背景技術】
【０００２】
近年、光書込装置により像担持体上に形成した潜像を現像し印刷する際の印刷速度の向上が求められ、それに伴い光書込装置の構成部品である光偏向器は、高速回転することが要求されている。
光偏向器の高速回転化に伴い、光偏向器を構成するモータへ供給する電力の電流値は大きくなり、このため、モータの構成部品であるステータの発熱量は極めて大きなものとなる。
【０００３】
このように、光偏向器で発生する熱量が極めて大きいので、この熱が光偏向器を固定しているハウジングを通じて、プラスチック製のレンズに伝わりレンズ自身が熱で歪むという課題がある。
さらに、プラスチック製のレンズへの熱の伝わり方も通常では熱源を中心に同心円状に伝わり、このため、プラスチック製のレンズ内でも温度偏差が生じ、プラスチック製のレンズ内部で膨張率が異なり局部的な倍率ズレや、一定長の倍率の偏差が異なってくるといった不具合が発生してしまう。
【０００４】
このような問題を解決するためにまずは発熱自体を低減し、かつこの発熱が伝導しないように光偏向器部を密閉することを前提としつつ、密閉室内の圧力を制御するという技術が知られている（例えば、特許文献１参照。）。
【０００５】
【特許文献１】特開平１０−２２１６３３号公報
【発明の開示】
【発明が解決しようとする課題】
【０００６】
しかしながら、上記従来技術の場合、光偏向器部を密閉する際の蓋部材の追加、圧力制御装置の追加が必要となり書込装置が複雑化し、コストが掛かるという問題がある。
さらに、発熱を抑えるために従来から一般的にはファンモータを使用し、ダクトによりポリゴンモータ近傍、書込装置自体を冷却するといったような強制冷却を行い光学素子に伝熱しないようにしているが、これによっても書込装置が複雑化し、コストが増大するという問題がある。
【０００７】
本発明は、このような背景に鑑みてなされたものであり、光書込装置が複雑化することなく、かつ、コストをかけずに、光偏向器で発生する熱が光学素子であるプラスチック製のレンズに不均一に伝わるのを防ぐ構成とすることにより、プラスチック製のレンズ自体に熱の影響で局部的な歪みが生ずるのを防止し、良好な画像形成を維持することができる光書込装置、及び、画像形成装置を提供することを目的とする。
【課題を解決するための手段】
【０００８】
上記目的を達成するため、請求項１に記載の発明は、光源ユニットからの光ビームを光偏向器により偏向走査し、該光偏向器からの光を少なくとも一つ以上のプラスチック製のレンズを通じて像担持体の被走査面上に導き結像する光書込装置において、前記光偏向器固定用のハウジングボスから前記プラスチック製のレンズの配置部分の裏面へ１又は複数のリブを配設したことを特徴とする。
【０００９】
請求項２に記載の発明は、前記リブはハウジング材質よりも熱伝導率が高い材質としたことを特徴とする。
【００１０】
請求項３に記載の発明は、前記光偏向器固定用のハウジングボスが複数の場合、該複数のハウジングボス同士を連結用リブでつないだことを特徴とする。
【００１１】
請求項４に記載の発明は、前記ハウジングボス、あるいは前記１又は複数のリブ、もしくは前記連結用リブと、前記光偏向器の軸受部とをバイパス用リブでつないだことを特徴とする。
【００１２】
請求項５に記載の発明である画像形成装置は、請求項１乃至４の少なくとも何れか一つに記載の光書込装置を用いたことを特徴とする。
【発明の効果】
【００１３】
本発明によれば、装置が複雑化することなく、かつ、コストをかけずに、光偏向器で発生する熱が光学素子であるプラスチック製のレンズに不均一に伝わるのを防ぐ構成とすることにより、プラスチック製のレンズ自体に熱の影響で局部的な歪みが生ずるのを防止し、良好な画像形成を維持することができる光書込装置、及び、画像形成装置を提供することができる。
【００１４】
即ち、請求項１に記載の発明によれば、ハウジングボスからプラスチック製のレンズの配置部分の裏面へ１又は複数のリブを形成したことにより、装置を複雑化することなく、さらにコストをかけずに、光偏向器、ポリゴンモータ等の熱源で発生する熱が不均一に前記レンズに伝わるのを防ぐことができ、前記レンズ自身に温度分布差により局部的な歪みが発生するという問題を解決することができ、良好な画像形成を維持することができる。
【００１５】
請求項２に記載の発明によれば、請求項１の作用効果に加え、リブをハウジング材質よりも熱伝導率が高い材質としたことにより、リブに熱が伝わりやすくなり上述の効果がより向上する。特に、熱が不均一に前記レンズに伝わるのを効率良く防止するとともに、リブに伝わる熱量が増加するため、ハウジング基盤に伝わる熱量は若干減り前記レンズ自体の温度上昇もより低く抑えることができる。
【００１６】
請求項３に記載の発明によれば、請求項１の作用効果に加え、複数の偏向器固定用のハウジングボス同士を連結用リブにより直接つなぐことにより、ハウジングボス同士の温度差を低減し、そこから先のリブへの伝熱量も均一化する。そのため、書込装置を複雑化することなく、さらにコストをかけずに、光偏向器等で発生する熱が不均一に前記レンズに伝わるのを有効に防ぎ、前記レンズ自身に局部的な歪みが生じるという問題をより効率良く解決することができる。
【００１７】
請求項４に記載の発明によれば、請求項１の作用効果に加え、前記ハウジングボス、あるいは前記複数のリブ、もしくは前記連結用リブと、前記光偏向器の軸受部とをバイパス用リブでつないだため、モータ中心にあるハウジングの軸受部を通じコイル、摩擦熱等をより効率よくハウジングボスに均等に伝熱して、装置を複雑化することなく、さらにコストをかけずに、光偏向器、モータ等の熱源で発生する熱をより均一に前記レンズに伝えることが可能となり、前記レンズ自身に局部的な歪みが生じるという問題をより確実に解決することができる。
【００１８】
請求項５に記載の発明によれば、請求項１から４の光書込装置を画像形成装置に搭載することにより、画像形成装置はより良好な画像形成を行うことが可能となる。
【発明を実施するための最良の形態】
【００１９】
以下に添付図面を参照して、本発明の光書込装置について説明する。尚、本発明による光書込装置は、画像形成装置の一例としてカラー複写機に適用した場合について説明する。まず、本発明の光書込装置の説明に先立って、画像形成装置の一例としてのカラー複写機の概略的な構成から説明する。
【００２０】
図１は本発明に係る光書込装置を搭載するカラー複写機の概略構成を説明する説明図である。図１に示すカラー複写機は、複数の像担持体の一例として、複数のドラム状の光導電性感光体（以下、感光体ドラムという）１ ，２ ，３ ，４を並置しており、この４つの感光体ドラム１ ，２ ，３ ，４は、例えば図に対して右から順に、ブラック（Ｂｋ）、シアン（Ｃ）、マゼンタ（Ｍ）、イエロー（Ｙ）の各色に対応した画像を形成するものである（尚、色の順はこの限りではなく任意に設定することが可能である）。
【００２１】
その４つの感光体ドラム１ ，２ ，３ ，４の各々の周囲には、電子写真プロセスにより画像形成を行うための、帯電部（帯電ローラ、帯電ブラシ、帯電チャージャ等）６ ，７ ，８ ，９ と、光書込装置５からの光ビームＬ１ ，Ｌ２ ，Ｌ３ ，Ｌ４の露光部と、現像部（Ｂｋ ，Ｃ ，Ｍ ，Ｙの各色の現像装置）１０ ，１１ ，１２ ，１３と、転写搬送ベルト２２ａ及びその裏面に配置された転写手段（転写ローラ、転写ブラシ等）１４ ，１５ ，１６ ，１７を備えた転写搬送装置２２と、クリーニング部（クリーニングブレード、クリーニングブラシ等）１８ ，１９ ，２０ ，２１などが配設されており、それぞれの感光体ドラム１ ，２ ，３ ，４に各色の画像形成を行うことが可能となっている。
【００２２】
より詳しく述べると、図１において、図中のＺ方向を鉛直上方向、Ｘ ，Ｙ方向を水平方向とした場合、４つの感光体ドラム１ ，２ ，３ ，４の並設方向は水平面に対して傾斜しており（尚、図４の場合はＸ方向に対して傾斜している）、転写搬送装置２２は４つの感光体ドラム１ ，２ ，３ ，４の並設方向と略平行となるように水平面に対して傾斜して配置されている。
転写材（記録媒体）はその傾斜方向の下方側から給紙され転写搬送ベルト２２ａにより上方側に向けて４つの感光体ドラム１，２，３，４の転写部へ順次搬送されるものであり、その転写材の搬送方向下流側で前記傾斜方向の上方側には定着装置２６が配設されている。
また、光書込装置５は、４つの感光体ドラム１，２，３，４が並設された作像部の斜め上方に配置され、かつ光書込装置５のハウジング５０は、４つの感光体ドラム１，２，３，４の並設方向と略平行となるように水平面（図中のＸ方向）に対して傾斜して配置されており、カラー複写機本体の傾斜したフレーム２９ ，３０に固定されている。
【００２３】
ここで、光書込装置５は、図２に示すように、４つの光源ユニット５２，５３，５４，５５と、各光源ユニット５２，５３，５４，５５からの光ビームＬ１，Ｌ２，Ｌ３，Ｌ４を対称な２方向に振り分けて偏向走査する光偏向器６２と、この光偏向器６２を中心にして前記２方向に対称に配置され光偏向器６２により偏向走査される複数の光ビームＬ１，Ｌ２，Ｌ３，Ｌ４をそれぞれ対応する感光体ドラム１，２，３，４の被走査面上に導き結像する光学系（結像用レンズ６３，６４，６９，７０，７１，７２、光路折り返し用ミラー６５，６６、６７，６８，７３，７４，７５，７６，７７，７８，７９，８０等の光学部材からなる）を備えており、これらの構成部材は一つのハウジング５０内に収納されている。
尚、少なくとも、結像用レンズ６３，６４は、特許請求の範囲に記載のプラスチック製のレンズに相当する。他のレンズもプラスチック製のものであると考えても結構である。
【００２４】
より具体的には、図３に示すように、ハウジング５０は、光偏向器６２や光学系が配設される基盤５０Ａと、基盤５０Ａの周囲を囲む枠状の側壁５０Ｂとを有すると共に、基盤５０Ａが側壁５０Ｂの略中央部に設けられてハウジング５０を上下に仕切る構造である。
４つの光源ユニット５２，５３，５４，５５はハウジング５０の側壁５０Ｂに配置され感光体の並設方向と略同方向に並設されており、光偏向器６２はハウジング５０の基盤５０Ａの略中央部に配置され、光学系を構成する光学部材（結像用レンズ６３，６４、６９，７０，７１，７２、光路折り返し用ミラー６５，６６，６７，６８，７３，７４，７５，７６，７７，７８，７９，８０等）は基盤５０Ａの両面（上面側と下面側）に分けて配設されている。
また、ハウジング５０の上部と下部にはカバー８７ ，８８が設けられており、下部側のカバー８７には光ビームを通過する開口が設けられ、その開口には防塵ガラス８３ ，８４，８５ ，８６が取り付けられている。
【００２５】
この光書込装置５では、図示しない原稿読み取り装置（スキャナ）あるいは画像データ出力装置（パーソナルコンピュータ、ワードプロセッサ、ファクシミリの受信部等）から入力される色分解された画像データを光源駆動用の信号に変換し、それに従い各光源ユニット５２，５３，５４，５５内の光源（半導体レーザ（ＬＤ））を駆動して光ビームを出射する。
各光源ユニット５２，５３，５４，５５から出射された光ビームは、面倒れ補正用のシリンドリカルレンズ５６，５７，５８，５９を通り直接またはミラー６０，６１を介して光偏向器６２に至り、ポリゴンモータ６２ｃで等速回転されている２段のポリゴンミラー６２ａ，６２ｂで対称な２方向に偏向走査される。
尚 、図１乃至図３に示す構成ではポリゴンミラーはＬ２，Ｌ３の光ビーム用と、Ｌ１，Ｌ４の光ビーム用の上下２段に分けた構成となっているが、１つの厚めのポリゴンミラーで偏向走査する構成としてもよい。
【００２６】
光偏向器６２のポリゴンミラー６２ａ，６２ｂで２ビームずつ２方向に偏向走査された光ビームは、例えば上下２層構成のFΘレンズ等からなる結像用レンズ６３ ，６４をそれぞれ通過し、第１折り返しミラー６５，６６，６７，６８により折り返されて基盤５１の開口部を通過した後、例えば長尺トロイダルレンズ等からなる第２の結像用レンズ６９，７０，７１，７２を通過し、第２折り返しミラー７３，７５，７７，７９、第３折り返しミラー７４，７６，７８，８０、防塵ガラス８３，８４，８５，８６を介して各色用の感光体ドラム１，２，３，４の被走査面上に照射され静電潜像を書き込む。
【００２７】
次に、図１に示すように、並設された４つの感光体ドラム１，２，３，４の下には駆動ローラと複数の従動ローラに張架された転写搬送ベルト２２ａが配設されており、駆動ローラにより図中に矢印で示す方向に搬送されている。
また、画像形成装置の本体下部には記録用紙等の転写材を収納した複数の給紙部２３，２４が設置されており、この給紙部２３，２４に収納された転写材が、給紙ローラ、搬送ローラ、レジストローラ２５を介して転写搬送ベルト２２ａに給紙され、転写搬送ベルト２２ａにより担持され搬送される。
【００２８】
前記光書込装置５により各感光体ドラム１，２，３，４に形成された各潜像は、各現像部１０，１１，１２，１３のＢｋ，Ｃ，Ｍ，Ｙの各色のトナーで現像されて顕像化され、その顕像化されたＢｋ，Ｃ，Ｍ，Ｙの各色のトナー画像は、転写搬送装置２２の各転写手段１４，１５，１６，１７により転写搬送ベルト２２ａ上に担持された転写材に順次重ね合わせて転写される。そして、４色の画像が転写された転写材は定着装置２６に搬送され、定着装置２６で画像が定着された後、排紙ローラ２７により排紙トレイ２８上に排出される。
【００２９】
図４は結像用レンズ６３，６４とポリゴンミラー６２との位置的関係を示す底面視説明図であり、ポリゴンモータ５００を発熱源（簡易的に回転中心にある軸受部を熱源の中心とした）とした場合のハウジング基盤（図６参照）Ｈｂを経由し結像用レンズ（ＦΘレンズ）６３，６４への熱の伝達の様子を示す。
図４に示すように、ポリゴンモータ５００が起動すると、ポリゴンモータ５００の回転中心を中心とした同心円上に温度分布が発生する。
図４に示す温度分布は一例であるが、中心から近い順の一点鎖線が５５℃、５２℃、４９℃、４６℃、４３℃の温度等高線が現れることが実験的に確認された。
この場合、ハウジング基盤Ｈｂに固定されている結像用レンズ（ＦΘレンズ）６３，６４の温度分布はその温度等高線にならい斜線で示したような複数の温度領域が現れる。
【００３０】
実際には結像用レンズ（ＦΘレンズ）６３，６４内での伝熱があり温度領域があいまいとなったり、温度偏差は緩和されるが温度分布が存在したりするため、プラスチック製の結像用レンズ６３，６４内部での膨張率が異なり、結果として局部的な倍率ズレや、一定長の倍率の偏差が異なってくるという問題が発生し画像の劣化を引き起こす。
【００３１】
本発明における第１の実施の形態（請求項１に対応）は、上記問題点を改善すべく技術的に創作された光書込装置を具体的に示すものである。図５はハウジング基盤Ｈｂに対する本実施の形態の技術的に中核をなす部分であるリブ５０２等の設置関係を説明する説明図である。
【００３２】
図５に示す斜線部の部分はハウジング基盤Ｈｂの断面形状を表している。ハウジング基盤Ｈｂには、ポリゴンモータ５００（図６参照：以下同様）の回転軸に連結されたポリゴンミラー６２を固定するための固定用ボス部（光偏向器固定用のハウジングボス：以下同様）Ｈｂ２がポリゴンミラー６２の周囲にあたる４箇所の位置に構成されている。
４箇所の固定用ボス部Ｈｂ２は、ハウジング基盤Ｈｂの背面から図示下方に突出されており、ポリゴンモータ５００のモータ軸受５００ａを固定する平板状の支持板（ポリゴンモータ基盤）を介してネジ５０１が螺入されている。このネジ５０１によりモータ軸受５００ａの固定とともにポリゴンミラー６２の回転自在の固定がなされている。
また、ハウジング基盤Ｈｂの背面側には、ポリゴンモータ５００のモータ軸受５００ａを支持するモータ軸受支持部（特許請求の範囲に記載の光偏向器の軸受部に相当：以下同様）Ｈｂ３が構成されており、ポリゴンモータ５００の起動に際してブレ等の生じることを防止している。
【００３３】
特に、４箇所の固定用ボス部Ｈｂ２は、ポリゴンモータ５００からの熱が伝わり易く、この熱を結像用レンズ６３，６４に伝えて結像用レンズ６３，６４の温度分布を一定にすべく、４箇所の固定用ボス部Ｈｂ２から、ハウジング基盤Ｈｂの背面において結像用レンズ６３，６４の設置位置に対応する位置（配置部分）にかけて複数のリブ５０２，５０２’，５０３，５０３’が各々に接触状態を保って延設されている。
即ち、各固定用ボス部Ｈｂ２から複数のリブ５０２等が結像用レンズ（ＦΘレンズ）６３，６４の配置部分にかけてハウジング基盤Ｈｂの裏面に接しつつハウジング基盤Ｈｂを結像用レンズ６３，６４との間で挟むように延びている。
【００３４】
図６は本実施の形態のハウジング基盤Ｈｂを裏面側からみた場合の複数のリブ５０２等の配設構成を説明する説明図である。
図６に示すように、点線に示すポリゴンモータ５００の発熱はモータ固定部（即ちモータ軸受支持部Ｈｂ３を含む）を経由してハウジング基盤Ｈｂに伝わる。そこで、ハウジング基盤Ｈｂの背面において各固定用ボス部Ｈｂ２から各リブ５０２，５０２’，５０３，５０３’，５０４，５０４’，５０５，５０５’を結像用レンズ（ＦΘレンズ）６３，６４の下側まで所謂放射状に延設してある。
ポリゴンモータ５００の熱を各固定用ボス部Ｈｂ２から各リブ５０２，５０２’，５０３，５０３’，５０４，５０４’，５０５，５０５’を通して結像用レンズ（ＦΘレンズ）６３，６４の温度が低い部分、例えば４３℃以下の領域（図４参照）に伝えるようにする。
【００３５】
即ち、１つの固定用ボス部Ｈｂ２から延設したリブ例えば５０３，５０３’等の長さをほぼ等しくして伝わる熱量もほぼ均一にすることにより、リブ５０３，５０３’等の伝える熱量のばらつき、不均一さを抑える。
各リブ５０２，５０２’，５０３，５０３’，５０４，５０４’，５０５，５０５’は結像用レンズ（ＦΘレンズ）６３，６４の温度が低い部分の温度を昇温させ、結像用レンズ６３，６４の温度分布を均一化する。
これによってプラスチック製の結像用レンズ６３，６４内部での膨張率が一定になり歪み等が発生することを防止し、局部的な倍率ズレや、一定長の倍率の偏差が異なるという現象を解消することができる。この結果、画像品質に劣化が生じることを防止し、品質の良い画像形成を維持することが可能となる。
【００３６】
次に、本発明における第２の実施の形態（請求項２に対応）の光書込装置について説明する。詳しくは図示しないが本実施の形態の光書込装置も構成的には第１の実施の形態の場合と基本的に同様であり、同一部分の詳しい説明は省略する。
図５で示したハウジング基盤Ｈｂはコストダウン、軽量化の目的からプラスチックにより成型されていることが多い。プラスチックは一般的に金属系材料に比べ熱伝導率が低く熱を伝えにくい。
そこで、本実施の形態においては、第１の実施の形態でふれた効果を十分に発揮するため、ハウジング基盤Ｈｂの全体から伝わる熱と同等程度の熱量を各リブ５０２，５０２’，５０３，５０３’，５０４，５０４’，５０５，５０５’により結像用レンズ６３，６４の低温側へ伝えることが望ましい。
そのため、本実施の形態では、ハウジング基盤Ｈｂよりも熱伝導率が高い金属系、例えばアルミもしくは銅にて各リブ５０２，５０２’，５０３，５０３’５０４，５０４’５０５，５０５’を形成する。
【００３７】
この場合、第１の実施の形態の場合に比べ、より結像用レンズ６３，６４の温度分布を均一化する効果を向上させることができる。
また各リブ５０２，５０２’，５０３，５０３’５０４，５０４’５０５，５０５’に伝わる熱量が増えるため、ハウジング基盤Ｈｂに伝わる熱量は若干減り結像用レンズ６３，６４自体の温度上昇も低く抑えることができる。
一般的には、モールド熱伝導率（一般的には常温時約５〜５０Ｗ／ｍ・ｋ）＜アルミもしくは銅材の放熱板の熱伝導率（アルミ：一般的には常温時約２４０Ｗ／ｍ・ｋ、銅：一般的には常温時約４００Ｗ／ｍ・ｋ）であるから、各リブ５０２等にはアルミもしくは銅材を用いることが好ましいが、他の金属等を使用しても良いことは勿論である。
【００３８】
次に、本発明における第３の実施の形態（請求項３に対応）の光書込装置について説明する。詳しくは図示しないが本実施の形態の光書込装置も構成的には第１の実施の形態の場合と基本的に同様であり、同一部分の詳しい説明は省略する。
図７は本実施の形態のハウジング基盤Ｈｂを裏面側からみた場合の複数のリブ５０２等及び連結用リブ７０１の配設構成を説明する説明図である。
図７に示すように、連結用リブ７０１は、斜線で示すように４本の固定用ボス部Ｈｂ２を所謂角形の環状に連結するとともに、各リブ５０２，５０２’，５０３，５０３’５０４，５０４’５０５，５０５’にも連結されている。
なお、連結用リブ７０１は角形環状の一体のものを用いても良く、あるいは１本ずつ個別のものを連結させて用いても良い。
【００３９】
４本の各固定用ボス部Ｈｂ２についてはポリゴンモータ基板が取付けられているものであるが、ポリゴンモータ基板のその部分（即ち各固定用ボス部Ｈｂ２の部分）の４箇所は必ずしも温度が一致しているわけではない。
例えばモータ回転時に発熱量が高い図中のモータドライバ５００ｂがポリゴンモータ基板の下側に配置されている場合、モータドライバ５００ｂ付近の２本の固定用ボス部Ｈｂ２が他の２本、即ち図示上側のモータドライバ５００ｂから最も離れる２本の固定用ボス部Ｈｂ２よりも温度は高くなる傾向がある。
【００４０】
本実施の形態においては、４本の固定用ボス部Ｈｂ２、及び、各リブ５０２，５０２’，５０３，５０３’５０４，５０４’５０５，５０５’を連結用リブ７０１で連結してあるため、モータドライバ５００ｂが発熱しても、各リブ５０２，５０２’，５０３，５０３’５０４，５０４’５０５，５０５’の温度不均一が生じることがなくなる。
このため、プラスチック製の結像用レンズ６３，６４内部での膨張率が一定になり歪み等が発生することを防止し、局部的な倍率ズレや、一定長の倍率の偏差が異なるという現象を解消することができる。この結果、画像品質に劣化が生じることを防止し、品質の良い画像形成を維持することが可能となる。
【００４１】
次に、本発明における第４の実施の形態（請求項４に対応）の光書込装置について説明する。詳しくは図示しないが本実施の形態の光書込装置も構成的には第１の実施の形態の場合と基本的に同様であり、同一部分の詳しい説明は省略する。
図８は本実施の形態のハウジング基盤Ｈｂを裏面側からみた場合の複数のリブ５０２等、連結用リブ７０１、及びバイパス用リブ８０１の配設構成を説明する説明図である。
図８に示すように、本実施の形態においては、モータ軸受支持部（光偏向器の軸受部）Ｈｂ３から、４本の固定用ボス部Ｈｂ２に対し、あるいは４本の固定用ボス部Ｈｂ２を連結する連結用リブ７０１に対し、バイパス用リブ８０１が連結されている。
各バイパス用リブ８０１は、本例の場合、モータ軸受支持部（光偏向器の軸受部）Ｈｂ３から４本の固定用ボス部Ｈｂ２を指向しており、従って各々放射状に４本の固定用ボス部Ｈｂ２に連結されているものと考えても良い。
【００４２】
モータ軸受支持部（回転中心部）Ｈｂ３には発熱量が最も高いコイルが配置されかつ、モータ軸受支持部Ｈｂ３にはポリゴンミラー回転軸の回転による摩擦熱(内部にオイル等の潤滑材を注入している場合もある)が伝わるため、かなりの高温となる。
本実施の形態においては、その高温部分の発熱も、各バイパス用リブ８０１により固定用ボス部Ｈｂ２に均等に伝熱されるため、上記第１乃至第３の実施の形態において得られる効果がさらに向上する。
【００４３】
以上説明した各実施の形態の光書込装置は、上述した画像形成装置としてのカラー複写機に使用するものであるが、本発明の技術的思想の中核をなす各リブ５０２等、連結用リブ７０１、及びバイパス用リブ８０１は、鉄系の材料を用いた鍛造にて作成しても良く、固定用ボス部Ｈｂ２に螺合するネジ５０１についても例えば亜鉛材等で成形しても良い。
【００４４】
本発明の光書込装置は、画像形成装置として、複写機の他、プリンタ、ファクシミリ、プロッタ等に利用することが可能である。
【図面の簡単な説明】
【００４５】
【図１】本発明の光書込装置を使用する画像形成装置の一例を説明する説明図である。
【図２】本発明の光書込装置の前提となる技術の一例を説明する上面視説明図である。
【図３】本発明の光書込装置の前提となる技術の一例を説明する側面視説明図である。
【図４】本発明の光書込装置の前提となる技術の温度分布特性の一例を説明する要部説明図である。
【図５】本発明の第１の実施の形態に係る光書込装置の構成を説明する側面視要部説明図である。
【図６】本発明の第１の実施の形態に係る光書込装置の構成を説明する背面視要部説明図である。
【図７】本発明の第３の実施の形態に係る光書込装置の構成を説明する背面視要部説明図である。
【図８】本発明の第４の実施の形態に係る光書込装置の構成を説明する背面視要部説明図である。
【符号の説明】
【００４６】
１，２，３，４  感光体ドラム
５  光書込装置
６，７，８，９  帯電部
Ｌ１ ，Ｌ２ ，Ｌ３ ，Ｌ４  光ビーム
１０，１１，１２，１３  現像部
１４，１５，１６，１７  転写手段
１８，１９，２０，２１  クリーニング部
２２  転写搬送装置
２２ａ  転写搬送装置
２３，２４  給紙部
２５  レジストローラ
２６  定着装置
２７  排紙ローラ
２８  排紙トレイ
２９，３０  フレーム
５０  ハウジング
５０Ａ  基盤
５０Ｂ  側壁
５２，５３，５４，５５  光源ユニット
５６，５７，５８，５９  シリンドリカルレンズ
６０，６１  ミラー
６２  光偏向器
６２ａ，６２ｂ  ポリゴンミラー
６３，６４，６９，７０，７１，７２  結像用レンズ（プラスチック製のレンズ）
６５，６６，６７，６８，７３，７４，７５，７６，７７，７８，７９，８０  光路折り返し用ミラー
８３，８４，８５，８６  防塵ガラス
８７，８８  カバー
Ｈｂ  ハウジング基盤
Ｈｂ２  固定用ボス部（ハウジングボス）
Ｈｂ３  モータ軸受支持部（光偏向器の軸受部）
５００  ポリゴンモータ
５００ａ  モータ軸受
５００ｂ  モータドライバ
５０１  ネジ
５０２，５０２’，５０３，５０３’，５０４，５０４’，５０５，５０５’  リブ
７０１  連結用リブ
８０１  バイパス用リブ
【図１】
2006053224.tif 000003
【図２】
2006053224.tif 000004
【図３】
2006053224.tif 000005
【図４】
2006053224.tif 000006
【図５】
2006053224.tif 000007
【図６】
2006053224.tif 000008
【図７】
2006053224.tif 000009
【図８】
2006053224.tif 000010